(57)【要約】【課題】流通時の保管，運搬時には嵩張らず、また、不使用時には邪魔にならず、しかも安価に提供できるロールホルダーを提案するものである。【解決手段】壁等の固定面３に固定する基板４に対して、各々外側縁をヒンジ部１１として起伏可能に且つ起立対峙状態で対向面相互にシート又はフィルムから構成されるロール２両側を枢着可能に、一対の支持板９を画成し、また、各支持板９を起立対峙させた状態を維持可能に構成し、更に、全体を合成樹脂により一体に形成した。【選択図】図１
2004033280.tif 000002
【特許請求の範囲】
【請求項１】
固定手段Ａを介して固定面３に固定する基板４に、各々外側縁をヒンジ部１１として起伏可能に且つ起立対峙状態で対向面相互にシート又はフィルムから構成されるロール２両側を枢着可能に、一対の支持板９を画成し、各支持板９を起立対峙させた状態を維持させる凹凸係合手段Ｂを支持板９と基板４との間に設け、全体を合成樹脂により一体に形成したことを特徴とするロールホルダー。
【請求項２】
上記凹凸係合手段Ｂが、上記ヒンジ部１１外方の基板４前面に突設した係止突部１４に凹設した係合凹部１５と、上記支持板９前面に突設するとともに、支持板９の起立状態で上記係合凹部１５と係合する係合突部１６とで構成した凹凸係合手段である請求項１記載のロールホルダー。
【発明の詳細な説明】
【０００１】
【発明の属する技術分野】
本発明はロールホルダーに関する。
【０００２】
【従来の技術】
ペーパータオル等のシートをロール状に巻いたものを、回動可能に装着して、壁面等の固定面に固定したロールホルダーが知られている。この様なホルダーとして、例えば、横長の基板前面両側より一対の支持板を突設し、各支持板間にロール両側を枢着して使用する。
【０００３】
これらは基板と各支持板とを合成樹脂により一体に成形しているものが多く、また、基板と各支持板とを別体に形成し、基板に対し各支持板を回動可能に装着したタイプのものもある。
【０００４】
【発明が解決しようとする課題】
従来のこの種のホルダーのうち前者の如く一体に形成されたものでは、不使用時に支持板が常時突出状態となる。また、後者の場合には折り畳むことができるが、異なる三つの部材を必要とするため、製造時或いは組み立て時に煩雑さを伴う。
【０００５】
本発明は上記した点に鑑みてなされたもので、流通時の保管，運搬時には嵩張らず、また、不使用時には邪魔にならず、しかも安価に提供できるロールホルダーを提案するものである。
【０００６】
【課題を解決するための手段】
本請求項１発明のホルダーは上記課題を解決するため、固定手段Ａを介して固定面３に固定する基板４に、各々外側縁をヒンジ部１１として起伏可能に且つ起立対峙状態で対向面相互にシート又はフィルムから構成されるロール２両側を枢着可能に、一対の支持板９を画成し、各支持板９を起立対峙させた状態を維持させる凹凸係合手段Ｂを支持板９と基板４との間に設け、全体を合成樹脂により一体に形成したことを特徴とするロールホルダーとして構成した。
【０００７】
また、請求項２発明のホルダーは、上記凹凸係合手段Ｂが、上記ヒンジ部１１外方の基板４前面に突設した係止突部１４に凹設した係合凹部１５と、上記支持板９前面に突設するとともに、支持板９の起立状態で上記係合凹部１５と係合する係合突部１６とで構成した凹凸係合手段である請求項１記載のロールホルダーとして構成した。
【０００８】
【発明の実施の形態】
以下、本発明の実施の形態を図面を参照して説明する。
【０００９】
本発明のロールホルダー１は、図１に示す如く、シート或いはフィルム等で構成されるロール２を回動可能に支持するもので、合成樹脂により一体に形成されたものである。
【００１０】
ホルダー１は壁面等の固定面３に固定手段Ａを介して固定する基板４を備えている。固定手段Ａとして、基板４を固定面３に固定できるものであれば種々採用でき、例えば、ビスや釘による固定，或いは両面テープ等を用いた粘着，或いは接着材を用いた接着等種々の方法を採用できる。図示例では、基板４中央上下に一対のビス孔５を設け、ビス６により固定面３に固定できる如く構成している。また同時に、表裏両面に両面テープ７を貼着したスポンジ８を基板４の両側裏面に介在させて固定手段としている。
【００１１】
また、基板４には一対の支持板９を画成している。各支持板９は基板４左右に穿設した一対の窓孔１０内にそれぞれ外側縁のヒンジ部１１を介して突設し、ヒンジ部１１を中心に起伏可能に構成している。窓孔１０の内側縁には中心側へ凹む凹みを設けて、ここに支持板９を起立させる際の指掛け部をそれぞれ形成している。また、各支持板９は、起立対峙状態で対向面相互にロール２両側を枢着する如く構成している。
【００１２】
図示例では、横長矩形状の基板４の左右に、横長矩形状の支持板９をそれぞれ画成している。基板４は中空で前壁４ａ周縁部より後方へ周壁４ｂを延設し、また、上記窓孔１０縁部より後方へ区画壁４ｃを延設している。また、各支持板９は、同様に前壁９ａ周縁部より後方へ周壁９ｂを延設し、また、前壁９ａの中央側半部を後方へ凹ませた凹部１２を有し、該凹部の底壁部分に基端を開口して後方へ、ロールシート１を枢着させるための円筒部１３を突設させている。
【００１３】
また、本発明では各支持板９を起立対峙させた状態を維持させる凹凸係合手段Ｂを支持板９と基板４との間に設けている。該凹凸係合手段Ｂは、ヒンジ部１１外方の基板４前面に突設した係止突部１４に凹設した係合凹部１５と、支持板９前面に突設するとともに、支持板９の起立状態で上記係合凹部１５と係合する係合突部１６とで構成している。
【００１４】
図示例に於いて上記係止突部１４は、ヒンジ部１１に沿って膨出形成した縦長の突起で、中心側に係合凹部１５を凹設しており、係合凹部１５の両側には後述係止用突部を係止する切欠１７穿設している。また、係合部１６はヒンジ部１１に沿って膨出形成した縦長の突部で、上下両面に上記切欠１７に係合する係止用突部１８を突設している。この係止用突部１８はドーム状に形成して耐久性を付与し、度重なる支持板９の開閉に充分耐えられる如く構成している。
【００１５】
上記の如く構成したホルダー１は、図２の状態から各支持板９を引き出し起立させる。この際係合突部１６を係合凹部１５と係合させる。次いでペーパータオル等のロール２を、その両側の開口部に各支持板９の円筒部１３を嵌合させて装着する。尚、上記実施例では、基板４を横向きにして固定した場合に付いて説明したが、当然基板４を縦向きにして固定することも可能である。
【００１６】
【発明の効果】
以上説明した如く本発明のロールホルダーは、既述構成としたことにより、流通の際の保管，運搬時には各支持板を折り畳んだ状態で作業を行えるため嵩張らず、また、壁面等に固定した後の不使用時にも折り畳めるため邪魔にならず、更に、起立状態に支持板を維持させておくことができるため、ロールの交換の際にはより容易に交換を行うことができる。しかも、一体に形成できるため、製造も容易で組み立て易く、安価に製造できる。
【００１７】
また、請求項２発明のホルダーは、係止突部１４の存在で支持板９が起立した際に必要以上に外側へ開くのを確実に防止でき、従って、ロール２の交換の際には支持板を外側に弾性変形させても倒れることがなく、更に容易なロールの交換を行えるものである。
【図面の簡単な説明】
【図１】本発明の一実施例を示す斜視図である。
【図２】同実施例の支持板を折り畳んだ状態の斜視図である。
【図３】同実施例の支持板を起立させた状態の斜視図である。
【符号の説明】
２…ロール，３…固定面，４…基板，９…支持板，１４…係止突部，１５…係合凹部，１６…係合突部，Ａ…固定手段，Ｂ…凹凸係合手段
【図１】
2004033280.tif 000003
【図２】
2004033280.tif 000004
【図３】
2004033280.tif 000005